(57)【要約】  本発明の加湿器は、第１温湿度センサー１０ａ及び第２温湿度センサー１０ｂの検出値に基づき、予め設定した時間当たりに、加湿材１が気化させた水の量である加湿量を求め、前回求めた加湿量と比較して今回求めた加湿量が増加している場合、予め設定した時間当たりの水供給部３の水の供給量を所定値未満に制御し、前回求めた加湿量と比較して今回求めた加湿量が減少している場合、又は、前回求めた加湿量と今回求めた加湿量とが同一の場合、予め設定した時間当たりの水供給部３の水の供給量を、所定値以上に制御することを特徴とする。
2014045668.tif 000002
【特許請求の範囲】
【請求項１】
水を気化させて空気の加湿を行う加湿材と、
前記加湿材に水を供給する水供給部と、
前記加湿材に空気を送風する送風機と、
前記加湿材を通過する前の前記空気の温度及び湿度を検出する第１温湿度センサーと、  前記加湿材を通過した後の前記空気の温度及び湿度を検出する第２温湿度センサーと、  前記水供給部の水の供給量を制御する制御部と、
を備え、
前記制御部は、
前記第１温湿度センサー及び前記第２温湿度センサーの検出値に基づき、予め設定した時間当たりに、前記加湿材が気化させた水の量である加湿量を求め、
前回求めた前記加湿量と比較して今回求めた前記加湿量が増加している場合、前記予め設定した時間当たりの前記水供給部の水の供給量を所定値未満に制御し、
前回求めた前記加湿量と比較して今回求めた前記加湿量が減少している場合、又は、前回求めた前記加湿量と今回求めた前記加湿量とが同一の場合、前記予め設定した時間当たりの前記水供給部の水の供給量を、前記所定値以上に制御することを特徴とする加湿器。
【請求項２】
前記所定値は前記加湿材に最大加湿量をもたらす前記加湿材への水の供給量の最小値であることを特徴とする請求項１に記載の加湿器。
【請求項３】
前記加湿材に供給される前記水を貯える貯水槽と、
前記貯水槽内に配置され、前記貯水槽内の前記水に空気を供給する散気管と、
前記散気管からの空気の供給の有無を切り換える開閉弁と、を備え、
前記制御部は、
前回求めた前記加湿量と比較して今回求めた前記加湿量が増加している場合、前記開閉弁を開状態に制御し、
前回求めた前記加湿量と比較して今回求めた前記加湿量が減少している場合、又は、前回求めた前記加湿量と今回求めた前記加湿量とが同一の場合、前記開閉弁を閉状態に制御することを特徴とする請求項１または２に記載の加湿器。
【請求項４】
前記加湿材に供給される前記水に、イオン添加剤を供給する薬液添加部を備え、
前記制御部は、
前回求めた前記加湿量と比較して今回求めた前記加湿量が増加している場合、前記薬液添加部から前記イオン添加剤を前記水に供給させ、
前回求めた前記加湿量と比較して今回求めた前記加湿量が減少している場合、又は、前回求めた前記加湿量と今回求めた前記加湿量とが同一の場合、前記薬液添加部からの前記イオン添加剤の供給を停止させる
ことを特徴とする請求項１〜３の何れか一項に記載の加湿器。
【請求項５】
前記加湿材に供給される前記水を加熱する加熱部を備え、
前記制御部は、
前回求めた前記加湿量と比較して今回求めた前記加湿量が増加している場合、前記加熱部を動作させ前記水を加熱させ、
前回求めた前記加湿量と比較して今回求めた前記加湿量が減少している場合、又は、前回求めた前記加湿量と今回求めた前記加湿量とが同一の場合、前記加熱部の動作を停止させることを特徴とする請求項１〜４の何れか一項に記載の加湿器。
【請求項６】
前記加湿材に供給される前記水に、炭酸カルシウム、炭酸水素カルシウム、及びシリカゲルの少なくとも１つの薬剤を供給する薬剤充填部を備え、
前記制御部は、
前回求めた前記加湿量と比較して今回求めた前記加湿量が増加している場合、前記薬剤充填部から前記薬剤を前記水に供給させ、
前回求めた前記加湿量と比較して今回求めた前記加湿量が減少している場合、又は、前回求めた前記加湿量と今回求めた前記加湿量とが同一の場合、前記薬剤充填部からの前記薬剤の供給を停止させることを特徴とする請求項１〜５の何れか一項に記載の加湿器。
【請求項７】
水を気化させて空気の加湿を行う加湿材の親水化処理方法であって、
前記加湿材に水を供給する工程と、
前記加湿材に空気を送風する工程と、
前記加湿材を通過する前の前記空気の温度及び湿度、並びに、前記加湿材を通過した後の前記空気の温度及び湿度を検出する工程と、
前記温度及び湿度の検出値に基づき、予め設定した時間当たりに、前記加湿材が気化させた水の量である加湿量を求める工程と、を有し、
前回求めた前記加湿量と比較して今回求めた前記加湿量が増加している間、
前記予め設定した時間当たりの前記加湿材への水の供給量を、所定値未満に制御する
ことを特徴とする加湿材の親水化処理方法。
【請求項８】
前記所定値は前記加湿材に最大加湿量をもたらす前記加湿材への水の供給量の最小値であることを特徴とする請求項７に記載の加湿材の親水化処理方法。
【請求項９】
内部に含浸した水が気化して空気を加湿する加湿材と、
前記加湿材に水を供給する水供給部と、
前記加湿材に空気を送風する送風機と、
前記水供給部の水の供給量を制御する制御部と、
を備え、
前記制御部は、
予め決められた所定値以下で前記水供給部から水を供給して、前記加湿材にスケールを堆積させて加湿性能を向上させた後、
前記所定値を超過する流量で前記水供給部から水を供給して、前記加湿材の加湿性能を維持して加湿を行うことを特徴とする加湿器。
【請求項１０】
前記加湿材の表面を通過する前の前記空気の温度及び湿度を検出する第１温湿度センサーと、
前記加湿材の表面を通過した後の前記空気の温度及び湿度を検出する第２温湿度センサーと、
を備え、
前記制御部は、
前記第１温湿度センサー及び前記第２温湿度センサーの検出値に基づき、予め設定した時間当たりに、前記加湿材が気化させた水の量である加湿量を求め、
前回求めた前記加湿量と比較して今回求めた前記加湿量が増加している場合、前記水供給部の水の供給量を前記所定値以下に制御し、
前回求めた前記加湿量と比較して今回求めた前記加湿量が増加した後、初期の加湿量まで減少する間に、前記水供給部の水の供給量を、前記所定値を超過する流量に切換えて制御することを特徴とする請求項９に記載の加湿器。
【請求項１１】
前記制御部は、
前記水供給部から前記加湿材に供給された水の積算値が、予め設定した量を超えた場合に、前記水給水部の水の供給量を、前記所定値を超過する流量に切換えて制御することを特徴とする請求項１〜６、９、１０の何れか一項に記載の加湿器。
【請求項１２】
前記制御部は、
前記加湿材に堆積していくスケール付着量が、予め設定したスケール付着量を超えた場合に、前記水給水部の水の供給量を、前記所定値を超過する流量に切換えて制御することを特徴とする請求項１〜６、９、１０の何れか一項に記載の加湿器。
【請求項１３】
前記制御部は、
前記加湿量の積算値が、予め設定した積算値を超えた場合に、前記水給水部の水の供給量を、前記所定値を超過する流量に切換えて制御することを特徴とする請求項１〜６、９、１０の何れか一項に記載の加湿器。
【請求項１４】
前記制御部は、
前記加湿時間の積算時間が、予め設定した積算時間を超えた場合に、前記水給水部の水の供給量を、前記所定値を超過する流量に切換えて制御することを特徴とする請求項１〜６、９、１０の何れか一項に記載の加湿器。
【発明の詳細な説明】
【技術分野】
【０００１】
本発明は、加湿材を備えた加湿器、及び加湿材の親水化処理方法に関するものである。
【背景技術】
【０００２】
空気を加湿する加湿器の加湿方法として、気化式がある。気化式の加湿器は、吸水性能を有する加湿材に通風することによって、含有する水分を気流との熱交換によって気化蒸発し、空気の加湿を行う。
従来、気化式の加湿器における加湿性能の向上、及び長期間にわたる加湿性能の維持が求められている。【０００３】
上記課題を解決すべく様々な方法及び装置が検討されている。
例えば、特許文献１に記載の技術では、三次元網目状構造を有する多孔質金属板において、表面に凸凹を形成するとともに、高気孔率部と低気孔率部とを両方向に分散して形成する。これによって、蒸発させるための多くの水量を安定的に蒸発界面に供給して、全面から均一かつ速やかに蒸発させることができる、とされている。【０００４】
また、特許文献２に記載の技術では、気化フィルタのフィルタ基材表面に、粒子を担持して、空隙を形成する。これによって、粒子がフィルタ表面に形成した凸凹及び空隙が、水を担持及び離脱し、気化フィルタの表層部で加湿が行われ、高い加湿能力を得ることができる、とされている。
【先行技術文献】
【特許文献】
【０００５】
【特許文献１】特開２０１２−９３０４５号公報
【特許文献２】特開２００７−１９８６８５号公報
【発明の概要】
【発明が解決しようとする課題】
【０００６】
特許文献１及び特許文献２に記載の技術のような構造を持つ加湿材を用いれば、加湿器の運転を開始した初期では、仕様の加湿性能が得られる。
しかしながら、加湿を繰り返すことで、給水に含まれる有機物等によって、加湿材に施した親水化処理が劣化するとともに、給水に含まれるシリカ成分及びミネラル成分に起因するスケールが析出及び堆積して、加湿材に形成された空孔が目詰まりする。
これによって、加湿材の蒸発面に、安定的に水を供給することができず、加湿性能が低下してしまう、という課題がある。【０００７】
本発明は、上記のような課題を解決するためになされたものであり、加湿性能を向上することができる加湿器及び加湿材の親水化処理方法を得るものである。また、加湿性能の低減を抑制することができる加湿器及び加湿材の親水化処理方法を得るものである。
【課題を解決するための手段】
【０００８】
本発明に係る加湿器は、水を気化させて空気の加湿を行う加湿材と、前記加湿材に水を供給する水供給部と、前記加湿材に空気を送風する送風機と、前記加湿材を通過する前の前記空気の温度及び湿度を検出する第１温湿度センサーと、前記加湿材を通過した後の前記空気の温度及び湿度を検出する第２温湿度センサーと、前記水供給部の水の供給量を制御する制御部と、を備え、前記制御部は、前記第１温湿度センサー及び前記第２温湿度センサーの検出値に基づき、予め設定した時間当たりに、前記加湿材が気化させた水の量である加湿量を求め、前回求めた前記加湿量と比較して今回求めた前記加湿量が増加している場合、前記予め設定した時間当たりの前記水供給部の水の供給量を所定値未満に制御し、前回求めた前記加湿量と比較して今回求めた前記加湿量が減少している場合、又は、前回求めた前記加湿量と今回求めた前記加湿量とが同一の場合、前記予め設定した時間当たりの前記水供給部の水の供給量を、前記所定値以上に制御することを特徴とする。【０００９】
また、本発明に係る加湿器は、内部に含浸した水が気化して空気を加湿する加湿材と、前記加湿材に水を供給する水供給部と、前記加湿材に空気を送風する送風機と、前記水供給部の水の供給量を制御する制御部と、を備え、前記制御部は、予め決められた所定値以下で前記水供給部から水を供給して、前記加湿材にスケールを堆積させて加湿性能を向上させた後、前記所定値を超過する流量で前記水供給部から水を供給して、前記加湿材の加湿性能を維持して加湿を行うことを特徴とする。
【発明の効果】
【００１０】
本発明は、水供給部の水の供給量を加湿量未満に制御することで、スケール成分を用いて親水化処理し、加湿性能を向上することができる。また、水供給部の水の供給量を加湿量以上に制御することで、加湿性能の低減を抑制することができる。
【図面の簡単な説明】
【００１１】
【図１】実施の形態１に係る加湿器の基本構成を示す図である。
【図２】実施の形態１、８、９、１２、１３に係る加湿器の構成を示す図である。
【図３】実施の形態１に係る加湿器の制御方法を示す図である。
【図４】実施の形態２に係る加湿器の構成を示す図である。
【図５】実施の形態３に係る加湿器の構成を示す図である。
【図６】実施の形態４に係る加湿器の構成を示す図である。
【図７】実施の形態５に係る加湿器の構成を示す図である。
【図８】実施の形態６に係る加湿器の構成を示す図である。
【図９】スケールが加湿材に付着した様子を模式的に示す図である。
【図１０】実施の形態１に係る加湿器の基本構成を示す図である。
【図１１】実施の形態１に係る加湿器の制御方法を示すフローチャートである。
【図１２】実施の形態１に係る加湿器の制御方法を示す図である。
【図１３】実施の形態１、１１に係る加湿器の構成を示す図である。
【図１４】スケール付着量と加湿性能との相関を示す図である。
【図１５】実施の形態８に係る加湿器の制御動作を示すフローチャートである。
【図１６】実施の形態９に係る加湿器の制御動作を示すフローチャートである。
【図１７】実施の形態１０に係る加湿器の構成を示す図である。
【図１８】実施の形態１０に係る加湿器の制御動作を示すフローチャートである。
【図１９】実施の形態１１に係る加湿器の制御動作を示すフローチャートである。
【図２０】実施の形態１２に係る加湿器の制御動作を示すフローチャートである。
【図２１】実施の形態１３に係る加湿器の制御動作を示すフローチャートである。
【発明を実施するための形態】
【００１２】
実施の形態１．
図１及び図１０は、実施の形態１に係る加湿器の基本構成を示す図である。
図１において、加湿器は、加湿材１、送風機２、水供給部３、給水部４、ドレンパン５、排水口６、及び加湿性能制御部７を備えている。加湿材１は、水を気化させて空気の加湿を行う。送風機２は、加湿材１に空気を送風する。水供給部３は、加湿材１に水を供給する。給水部４は、水供給部３に水を供給する。ドレンパン５は、加湿材１から流れた水を受ける。排水口６は、ドレンパン５が受けた水を排水する。加湿性能制御部７は、水供給部３と給水部４との間に設けられている。
図１０に示すように、加湿材１を複数枚設定するようにしても良い。複数の加湿材１は間隔を空けて配置する。水供給部３は、複数の加湿材１にそれぞれ水を供給する。送風機２からの空気の送風方向２５は、複数の加湿材１の間に空気が流通する方向である。
【００１３】
本実施の形態１における加湿性能制御部７の詳細を説明する。
図２は、実施の形態１に係る加湿器の構成を示す図である。
図２において、実施の形態１の加湿性能制御部７は、ポンプ８、及び制御部９を備えている。ポンプ８は、給水部４からの水を水供給部３へ送り出す。制御部９は、ポンプ８の流量を調節して、水供給部３が加湿材１に供給する水の供給量を制御する。
【００１４】
また、加湿材１は、第１温湿度センサー１０ａ、及び第２温湿度センサー１０ｂを備えている。第１温湿度センサー１０ａは、加湿材１を通過する前の空気の温度及び湿度を検出する。第２温湿度センサー１０ｂは、加湿材１を通過した後の空気の温度及び湿度を検出する。
制御部９は、第１温湿度センサー１０ａ及び第２温湿度センサー１０ｂの検出値を取得する。
【００１５】
加湿材１は、水を保持し通風によって気化加湿できる部材である。好ましくは、加湿材１は、樹脂製又は金属製の板状のものが良い。さらに好ましくは、加湿材１は、立体的な網目構造を持つ繊維を絡ました形状又は発泡形状のものが良い。樹脂製の部材は、例えば、ポリウレタン、ポリエチレン、ポリビニルアルコール、ポリプロピレン、ポリエチレンテレフタレートなどが挙げられる。金属製の部材は、例えば、チタン、ステンレス鋼、銅、アルミ、鉄などが挙げられる。本実施の形態１では、加湿材１は、チタン製の発泡金属で空隙率９０％、呼び穴径６００μｍのものを用いる。
【００１６】
水供給部３は、加湿材１全面に、均一に水を供給できる形状である。加湿材１が１枚に対し、少なくとも１つ以上の水供給部３から水を供給できるのが良い。好ましくは、加湿材１の上部全面を、水を浸し供給できる形状が良い。本実施の形態１では、加湿材１が１枚に対し、ステンレス製のノズル１本を、加湿材１上端面中央付近から真上約３ｍｍの位置に設置する。
【００１７】
本発明の実施の形態１における加湿器の加湿動作について説明する。
給水部４から供給された水は、ポンプ８によって、水供給部３から加湿材１に供給される。このとき、制御部９は、ポンプ８の流量を調整し、水供給部３が加湿材１に供給する水の供給量を制御する。加湿材１に供給された水は、毛細管現象によって加湿材１に浸透される。そして、送風機２から加湿材１に送風することで、加湿材１表面から水が蒸発する。この水の蒸発によって、加湿材１を通風した空気が加湿される。ここで、加湿により空気中に供給された水の量（加湿材１が気化させた水の量）を、加湿量という。また、加湿材１に最大加湿量をもたらす、加湿材１への水の供給量の最小値を、最小値Ｓｍｉｎという。加湿材１に最小値Ｓｍｉｎを超える水を供給しても、加湿量は増加せず、最大加湿量のままとなる。なお、最小値Ｓｍｉｎを超えて加湿材１に供給された水は、ドレンパン５へ流れ落ち、排水口６から排水される。
【００１８】
ここで、本発明の実施の形態１における加湿器の特徴点について説明する。
加湿材１に給水される水には、シリカ成分（例えば、ケイ酸カルシウム、ケイ酸マグネシウム、ケイ酸アルミニウム、ケイ酸コロイド等）、ミネラル成分（例えば、炭酸カルシウム、炭酸マグネシウム、硫酸カルシウム、水酸化マグネシウム、リン酸カルシウム等）が含まれる。このシリカ成分及びミネラル成分を含む水が、加湿材１の表面で蒸発して空気が加湿されると、これら成分の濃度が濃縮されていき、飽和溶解濃度を超えると固形成分として加湿材１に析出してしまう。このシリカ成分及びミネラル成分の少なくとも一方から生成されるスケールが、加湿材１に堆積していくと、加湿材１を目詰まりさせるなど、加湿性能の低下を招くことになる。
【００１９】
しかし、発明者らは、図９に示すように、空隙２１が形成された加湿材１のスケール２２が付着した箇所に、ナノからミクロンオーダーの凸凹形状があり表面積が増加していることを実験で確認した。また、発明者らは、図９に示すように、空隙２１が形成された加湿材１のスケール２２が付着した箇所の接触角が、１１６．５°から１５．５°まで低下し、親水性が格段に向上していることを実験で確認した。そして、発明者らは、この特性を逆に利用することを思いついた。この発想を具現化すべく実験を重ねた結果、加湿性能を向上させ、かつ高い加湿性能を維持できる制御方法を見出した。
【００２０】
その制御方法について、図３を参照しながら説明する。
図３は、実施の形態１に係る加湿器の制御方法を示す図である。
図３（ａ）は、水の供給量が最小値Ｓｍｉｎ未満の場合における、加湿性能と加湿時間との関係を示している。ここで、水の供給量とは、予め設定した時間当たり（例えば単位時間当たり）に、水供給部３が加湿材１に供給する水の量である。
図３（ａ）に示すように、発明者らは、水の供給量を最小値Ｓｍｉｎ未満で運転すると、長期的にはスケールの堆積によって加湿性能が低下していくが、初期段階では一度加湿性能が上昇していることを発見した。
これは、初期段階ではスケール成分が付着し始めたことによって、加湿材１の表面積が増加したこと、及び加湿材１の親水性が向上し保水力が増加したためと推測される。
【００２１】
図３（ｂ）は、水の供給量が最小値Ｓｍｉｎ以上の場合における、加湿性能と加湿時間との関係を示している。
図３（ｂ）に示すように、発明者らは、水の供給量を最小値Ｓｍｉｎ以上で運転すると、加湿性能を維持できることを確認した。
これは、加湿材１に最大加湿量をもたらす水の供給量の最小値Ｓｍｉｎ以上の水を供給することで、加湿材１におけるスケール成分濃度の濃縮が抑制され、スケールが析出しないためと推測される。
【００２２】
そこで、発明者らは、以下のような加湿性能の制御方法を見出した。
図３（ｃ）は、水の供給量を切り換えた場合における、加湿性能と加湿時間との関係を示している。
図３（ｄ）は、水の供給量を切り換えた場合における、水の供給量と加湿時間との関係を示している。
図３（ｃ）、及び図３（ｄ）に示すように、初期段階では、水の供給量を最小値Ｓｍｉｎ未満に制御する。これによって、加湿材１に積極的にスケール成分を析出させ、加湿材１の表面積を増加させ、且つ、加湿材１の親水化を向上させて保水力を増加させる。このため、加湿性能を向上させることができる。
加湿性能を向上させた後は、水の供給量を最小値Ｓｍｉｎ以上に切り換える。これによって、スケール成分濃度の濃縮が抑制され、スケールの析出が抑制される。このため、加湿性能を維持することができる。
【００２３】
また、初期段階では、水の供給量を最小値Ｓｍｉｎ以下に制御し、加湿性能を向上させた後は、水の供給量を最小値Ｓｍｉｎ超過に切り換えてもよい。切り換えた後の水の供給量は、最小値Ｓｍｉｎ超過であれば良い。好ましくは、水の濃縮比が２以下になるように制御するのがよい。
このように、スケール成分を用いた親水化処理は、既存の親水化処理とは異なり、劣化し難いため、長期間に亘って親水化を維持できる。
【００２４】
次に、本実施の形態１における加湿器の制御動作の詳細を説明する。
図２に示したように、加湿器は、第１温湿度センサー１０ａ、及び第２温湿度センサー１０ｂを備えている。
制御部９は、第１温湿度センサー１０ａ及び第２温湿度センサー１０ｂの検出値に基づき、予め設定した時間当たりに、加湿材１が気化させた水の量である加湿量を求める。
【００２５】
加湿量の算出は、例えば、以下の方法がある。即ち、第１温湿度センサー１０ａによって検出された温度及び湿度から、加湿前の空気中における単位体積当たりの水分量を求める。第２温湿度センサー１０ｂによって検出された温度及び湿度から、加湿後の空気中における単位体積当たりの水分量を求める。加湿前の空気中における水分量と、加湿後の空気中における水分量との差分から、水分量の変化量を求める。この変化量に、加湿材１の体積及び材料、風速、送風温度、供給水温等に応じて予め設定した係数を乗算した値を、加湿量とする。
なお、加湿量を求める際は、少なくとも２回以上、複数回測定した平均値としても良い。その際、測定値のバラつきが±５％未満となった平均値を採用するのが好ましい。
【００２６】
制御部９は、加湿量の算出を、繰り返し行う。
前回求めた加湿量と比較して今回求めた加湿量が増加している場合、制御部９は、予め設定した時間当たり（例えば単位時間当たり）の水供給部３の水の供給量を、最小値Ｓｍｉｎ未満に制御する。なお、制御部９は、最小値Ｓｍｉｎの値を予め記憶する。なお、最小値Ｓｍｉｎの値は、加湿材１の体積及び材料等に応じて予め求めた値でも良いし、予め実測した値としても良い。
【００２７】
一方、前回求めた加湿量と比較して今回求めた加湿量が減少している場合、又は、前回求めた加湿量と今回求めた加湿量とが同一の場合、制御部９は、予め設定した時間当たり（例えば単位時間当たり）の水供給部３の水の供給量を、最小値Ｓｍｉｎ以上に制御する。例えば、水供給部３の水の供給量を、水の濃縮比が２以下になるように、最小値Ｓｍｉｎ以上に制御する。
【００２８】
図１１は、実施の形態１に係る加湿器の制御動作を示すフローチャートである。
図１１に基づき、制御部９の制御動作の一例を説明する。
制御部９は、水供給部３の水の供給量を最小値Ｓｍｉｎ未満に制御して、加湿材１への水の供給を開始させる（Ｓ１１）。
制御部９は、上述した方法によって、加湿材１が気化させた水の量である加湿量を求める（Ｓ１２）。制御部９は、前回求めた加湿量（Ｎ回目加湿量）と、今回求めた加湿量（（Ｎ＋１）回目加湿量）とを比較する（Ｓ１３）。今回求めた加湿量（（Ｎ＋１）回目加湿量）が前回求めた加湿量より大きい場合（Ｓ１３；Ｙｅｓ）、Ｓ１１へ戻る。これにより、前回求めた加湿量と比較して今回求めた加湿量が増加している場合には、水供給部３の水の供給量が最小値Ｓｍｉｎ未満となる。
一方、今回求めた加湿量（（Ｎ＋１）回目加湿量）が前回求めた加湿量より大きくない場合（Ｓ１３；Ｎｏ）、Ｓ１４へ進む。
制御部９は、水供給部３の水の供給量を、最小値Ｓｍｉｎ以上の供給量に切り換える（Ｓ１４）。その後、制御部９は、水供給部３の水の供給量が最小値Ｓｍｉｎを超過する状態で、水の供給を継続する（Ｓ１５）。
【００２９】
なお、上記の説明では、水供給部３の水の供給量を、最小値Ｓｍｉｎ未満又は最小値Ｓｍｉｎ以上に切り換えたが、これに限らず、最小値Ｓｍｉｎ以下又は最小値Ｓｍｉｎ超過に切り換えても良い。
その制御方法について、図１２を参照しながら説明する。
【００３０】
図１２は、実施の形態１に係る加湿器の制御方法を示す図である。
図１２（ａ）は、水の供給量が最小値Ｓｍｉｎ以下の場合における、加湿性能と加湿時間との関係を示している。
図１２（ａ）に示すように、発明者らは、水の供給量を最小値Ｓｍｉｎ以下で運転すると、長期的にはスケールの堆積によって加湿性能が低下していくが、初期段階では一度加湿性能が上昇していることを発見した。
これは、初期段階ではスケール成分が付着し始めたことによって、加湿材１の表面積が増加したこと、及び加湿材１の親水性が向上し保水力が増加したためと推測される。
【００３１】
図１２（ｂ）は、水の供給量が最小値Ｓｍｉｎ超過の場合における、加湿性能と加湿時間との関係を示している。
図１２（ｂ）に示すように、発明者らは、水の供給量を最小値Ｓｍｉｎ超過で運転すると、加湿性能を維持できることを確認した。
これは、加湿材１に最大加湿量をもたらす水の供給量の最小値Ｓｍｉｎ超過の水を供給することで、加湿材１におけるスケール成分濃度の濃縮が抑制され、スケールが析出しないためと推測される。
このため、図１２に示すように、前回求めた加湿量と比較して今回求めた加湿量が増加している場合、制御部９は、水供給部３の水の供給量を最小値Ｓｍｉｎ以下に制御する。また、前回求めた加湿量と比較して今回求めた加湿量が減少している場合、又は、前回求めた加湿量と今回求めた加湿量とが同一の場合、制御部９は、水供給部３の水の供給量を、最小値Ｓｍｉｎ超過に制御してもよい。
【００３２】
なお、上記の説明では、前回求めた加湿量と比較して今回求めた加湿量が大きくないときに（Ｓ１３；Ｎｏ）、水供給部３の水の供給量を切り換える場合を説明したが、本発明はこれに限定されない。制御部９は、今回求めた加湿量が増加した後、初期の加湿量まで減少する間に、水供給部３の水の供給量を、最小値Ｓｍｉｎ超過に制御してもよい。
【００３３】
なお、本実施の形態１では、加湿量の増減によって、水の供給量の切り換えを行う制御を説明したが、本発明はこれに限定されるものではない。例えば、当該加湿器の運転回数が、予め設定した回数を超えた場合に、水の供給量の切り換えを行うようにしてもよい。
また例えば、水供給部３から加湿材１に供給された水の積算値が、予め設定した量を超えた場合に水の供給量の切り換えを行うようにしてもよい。
【００３４】
さらに、図１３に示すように、図２の構成に、加湿材１に供給される水の電気伝導率を検出する第１電気伝導率計２３ａと、ドレンパン５から排水される水の電気伝導率を検出する第２電気伝導率計２３ｂを備え、加湿材１に堆積していくスケール付着量が、予め設定したスケール付着量を超えた場合に、水の供給量の切り換えを行っても良い。
【００３５】
加湿材１に蓄積していくスケール付着量は、例えば、加湿材１の重量変化から求める。また例えば、スケール付着量は、水の供給量、加湿量、水の供給量及び加湿量から算出した濃縮比、給水及び排水の電気伝導率、加湿材１の保水量、加湿材１の乾燥回数、スケール成分の飽和溶解濃度、給水中のスケール成分濃度から運転しながら算出してもよい。
また、運転しながら算出しなくても、蓄積していくスケール付着量は、運転前に、供給する水の水質、初期の加湿量、水の供給量及び運転時間から予測できるため、予め設定したスケール付着量まで到達する期間を決めて、水の供給量の切り換えを行っても良い。
【００３６】
さらに、予測したスケール付着量から加湿材１へのスケール被覆率又は積算の加湿時間を規定できるため、予め規定したスケール被覆率又は積算加湿時間を超えた場合に、水の供給量の切り換えを行うようにしてもよい。
予め設定するスケール付着量は、加湿材１の仕様によるが、例えば図１４に示すように、チタン製の発泡金属で空隙率８２％、呼び穴径２００μｍのものを用いた場合、約２０〜５０ｋｇ／ｍ３がよく、さらに好ましくは約３０ｋｇ／ｍ３前後にするのがよい。
なお、図１４に示すように、加湿材１がチタン製の発泡金属で空隙率８２％、呼び穴径２００μｍのものを用いた場合、スケール付着量約３０ｋｇ／ｍ３前後で、加湿量は初期の加湿量と比較して、１．１倍向上した。
【００３７】
以上のように本実施の形態においては、水供給部３の水の供給量を最小値Ｓｍｉｎ未満に制御することで、スケール成分を用いて親水化処理し、加湿性能を向上することができる。また、水供給部３の水の供給量を最小値Ｓｍｉｎ以上に制御することで、加湿性能の低減を抑制することができる。また、高価な親水化処理を事前に施すこともなく、スケール成分を用いて親水化処理できるので安価な加湿材１を得ることができる。また、スケール成分を用いた親水化処理は劣化し難いので、親水化処理が持続し、長寿命で高い加湿能力を維持できる加湿器を得ることができる。
【００３８】
実施の形態２．
本実施の形態２では、加湿材１に供給する水の水素イオン指数（ｐＨ）を上昇させ、スケールの析出、特にミネラル分からのスケールの析出を促進させる形態について説明する。
【００３９】
図４は、実施の形態２に係る加湿器の構成を示す図である。
図４において、本実施の形態２の加湿性能制御部７は、ポンプ８、制御部９、貯水槽１１、散気管１２、通風管１３、及び電磁弁１４を備える。
ポンプ８は、給水部４からの水を水供給部３へ送り出す。制御部９は、ポンプ８の流量を調節して、水供給部３が加湿材１に供給する水の供給量を制御する。貯水槽１１は、給水部４とポンプ８との間に設けられている。貯水槽１１は、加湿材１に供給される水を貯水する。散気管１２は、貯水槽１１の中に設置されている。散気管１２は、貯水槽１１内に配置され、貯水槽１１内の水に空気を供給する。通風管１３は、送風機２からの一部の空気（風）を散気管１２に送る。電磁弁１４は、通風管１３の途中に設けられる。電磁弁１４は、散気管１２からの空気の供給の有無を切り換える。電磁弁１４は、制御部９と連動する。なお、電磁弁１４は、本発明における「開閉弁」に相当する。
【００４０】
その他の構成は、上記実施の形態１と同様の構成である。また、制御部９は、上記実施の形態１と同様に、水の供給量の切り換え制御を行う。
【００４１】
次に、実施の形態２における加湿性能制御部７の動作について説明する。
給水部４から供給された水は、貯水槽１１内に貯水される。
制御部９は、第１温湿度センサー１０ａ及び第２温湿度センサー１０ｂの検出値に基づき、予め設定した時間当たりに、加湿材１が気化させた水の量である加湿量を求める。この加湿量の算出方法は、上記実施の形態１と同様である。
【００４２】
制御部９は、加湿量の算出を、繰り返し行う。
前回求めた加湿量と比較して今回求めた加湿量が増加している場合、制御部９は、電磁弁１４を開状態に制御する。電磁弁１４が開状態のとき、送風機２によって送風された空気の一部が、散気管１２を介して、貯水槽１１内の水に供給される。これによって、貯水槽１１内の水が脱気され、水素イオン指数（ｐＨ）が上昇し、ｐＨが７を超えたアルカリ性となる。ｐＨを上昇させると、スケールの析出、特にミネラル分からのスケールの析出を促進させることができる。また、上記実施の形態１と比較して、短時間で加湿性能を向上させることができる。
【００４３】
一方、前回求めた加湿量と比較して今回求めた加湿量が減少している場合、又は、前回求めた加湿量と今回求めた加湿量とが同一の場合、制御部９は、電磁弁１４を閉状態に制御する。電磁弁１４が閉状態のとき、散気管１２から空気が供給されず、貯水槽１１内の水が脱気は停止される。
【００４４】
なお、ｐＨを９付近まで上昇させると、水質によってはスケールが貯水槽１１内で析出してしまう可能性がある。このため、貯水槽１１内の水のｐＨは、７を超え、９未満が良い。好ましくはｐＨは、７を超え、８．５未満が望ましい。例えば、貯水槽１１内の水の水素イオン指数を計測するｐＨ計を設け、検出されたｐＨが８．５を超えたとき、制御部９は、電磁弁１４を閉状態に制御するようにしても良い。これによって、スケールが析出してしまうまでｐＨの上昇は行わない。
【００４５】
以上のように本実施の形態においては、加湿材１に供給する水の水素イオン指数（ｐＨ）を上昇させ、スケールの析出、特にミネラル分からのスケールの析出を促進させることができる。このため、実施の形態１と比較して、短時間で加湿性能を向上させることができる。また、高価な親水化処理を事前に施すこともなく、スケール成分を用いて親水化処理できるので安価な加湿材１を得ることができる。また、スケール成分を用いた親水化処理は劣化し難いので、親水化処理が持続し、長寿命で高い加湿能力を維持できる加湿器を得ることができる。
【００４６】
実施の形態３．
本実施の形態３では、加湿材１に供給する水にイオン添加剤を添加して、スケールの析出を促進させる形態について説明する。
【００４７】
図５は、実施の形態３に係る加湿器の構成を示す図である。
図５において、本実施の形態３の加湿性能制御部７は、ポンプ８、制御部９、薬液槽１５、及び薬液添加用ポンプ１６を備える。
ポンプ８は、給水部４からの水を水供給部３へ送り出す。制御部９は、ポンプ８の流量を調節して、水供給部３が加湿材１に供給する水の供給量を制御する。薬液槽１５は、内部にイオン添加剤が蓄えられている。薬液添加用ポンプ１６は、薬液槽１５内のイオン添加剤を、加湿材１に供給される水に送り出す。薬液添加用ポンプ１６は、制御部９と連動する。なお、薬液槽１５及び薬液添加用ポンプ１６は、本発明における「薬液添加部」に相当する。
【００４８】
イオン添加剤としては、アルカリ剤又は酸性剤がある。
アルカリ剤を添加することで、加湿材１に供給する水の水素イオン指数（ｐＨ）を上昇させ、ミネラル成分からのスケールの析出を促進させることができる。アルカリ剤としては、例えば、水酸化ナトリウム、水酸化カリウム、水酸化カルシウム、炭酸ナトリウム、炭酸水素ナトリウムなどの水溶液がある。なお、アルカリ剤は、本発明における「イオン添加剤」に相当する。
【００４９】
一方、酸性剤を添加することで、加湿材１に供給する水の水素イオン指数（ｐＨ）を低下させ、シリカ成分からのスケールの析出を促進させることができる。また、酸化剤は、本発明における「イオン添加剤」に相当する。
【００５０】
その他の構成は、上記実施の形態１と同様の構成である。また、制御部９は、上記実施の形態１と同様に、水の供給量の切り換え制御を行う。
【００５１】
次に、実施の形態３における加湿性能制御部７の動作について説明する。
給水部４から供給された水は、ポンプ８によって、水供給部３から加湿材１に供給される。
制御部９は、第１温湿度センサー１０ａ及び第２温湿度センサー１０ｂの検出値に基づき、予め設定した時間当たりに、加湿材１が気化させた水の量である加湿量を求める。この加湿量の算出方法は、上記実施の形態１と同様である。
【００５２】
制御部９は、加湿量の算出を、繰り返し行う。
前回求めた加湿量と比較して今回求めた加湿量が増加している場合、制御部９は、薬液添加用ポンプ１６を動作させ、薬液槽１５内のイオン添加物を、ポンプ８からの水に供給させる。これによって、イオン添加剤がアルカリ剤の場合には、水素イオン指数（ｐＨ）が上昇し、ｐＨが７を超えたアルカリ性となる。ｐＨを上昇させると、ミネラル分からのスケールの析出を促進させることができる。また、イオン添加剤が酸性剤の場合には、水素イオン指数（ｐＨ）が低下し、ｐＨが７を下回る酸性となる。ｐＨを低下させると、シリカ成分からのスケールの析出を促進させることができる。したがって、上記実施の形態１と比較して、短時間で加湿性能を向上させることができる。
【００５３】
一方、前回求めた加湿量と比較して今回求めた加湿量が減少している場合、又は、前回求めた加湿量と今回求めた加湿量とが同一の場合、制御部９は、薬液添加用ポンプ１６を停止させ、イオン添加物の供給を停止させる。
【００５４】
なお、ｐＨを９付近まで上昇させると、水質によってはスケールの析出が多くなりすぎ、加湿材１に目詰まりが生じる可能性がある。このため、イオン添加剤としてアルカリ剤を用いる場合のｐＨは、７を超え、９未満が良い。好ましくはｐＨは、７を超え、８．５未満が望ましい。例えば、単位時間当たりにおけるポンプ８からの水の供給量に応じて、単位時間当たりに薬液添加用ポンプ１６から供給するアルカリ剤の量を調整するようにしても良い。即ち、ポンプ８の流量が少ない場合には、アルカリ剤の供給量を少なくし、また、ポンプ８の流量が多い場合には、アルカリ剤の供給量を多くして、所望のｐＨとなるように制御する。
【００５５】
以上のように本実施の形態においては、加湿材１に供給する水にイオン添加剤を添加するので、水素イオン指数（ｐＨ）を上昇又は低下させ、スケールの析出を促進させることができる。このため、実施の形態１と比較して、短時間で加湿性能を向上させることができる。また、高価な親水化処理を事前に施すこともなく、スケール成分を用いて親水化処理できるので安価な加湿材１を得ることができる。また、スケール成分を用いた親水化処理は劣化し難いので、親水化処理が持続し、長寿命で高い加湿能力を維持できる加湿器を得ることができる。
【００５６】
実施の形態４．
本実施の形態４では、加湿材１に供給する水の温度を上昇させることで、スケールの析出を促進させる形態について説明する。
【００５７】
図６は、実施の形態４に係る加湿器の構成を示す図である。
図６において、本実施の形態４の加湿性能制御部７は、ポンプ８、制御部９、ヒーター１７、温度センサー１８、及び温度調節器１９を備える。
ポンプ８は、給水部４からの水を水供給部３へ送り出す。制御部９は、ポンプ８の流量を調節して、水供給部３が加湿材１に供給する水の供給量を制御する。ヒーター１７は、加湿材１に供給される水を加熱する。温度センサー１８は、加湿材１に供給される水の温度を検出する。温度調節器１９は、ヒーター１７を駆動する。温度調節器１９は、制御部９と連動する。なお、ヒーター１７は、本発明における「加熱部」に相当する。
【００５８】
その他の構成は、上記実施の形態１と同様の構成である。また、制御部９は、上記実施の形態１と同様に、水の供給量の切り換え制御を行う。
【００５９】
次に、実施の形態４における加湿性能制御部７の動作について説明する。
給水部４から供給された水は、ポンプ８によって、水供給部３から加湿材１に供給される。
制御部９は、第１温湿度センサー１０ａ及び第２温湿度センサー１０ｂの検出値に基づき、予め設定した時間当たりに、加湿材１が気化させた水の量である加湿量を求める。この加湿量の算出方法は、上記実施の形態１と同様である。
【００６０】
制御部９は、加湿量の算出を、繰り返し行う。
前回求めた加湿量と比較して今回求めた加湿量が増加している場合、制御部９は、温度調節器１９を駆動させ、ヒーター１７によって水を加熱させる。これによって、加湿材１に供給される水が、少なくとも常温以上の温度となる。水の温度が上昇することで、スケールの析出、特にミネラル分からのスケールの析出を促進させることができる。また、上記実施の形態１と比較して、短時間で加湿性能を向上させることができる。
【００６１】
一方、前回求めた加湿量と比較して今回求めた加湿量が減少している場合、又は、前回求めた加湿量と今回求めた加湿量とが同一の場合、制御部９は、温度調節器１９の駆動を停止させ、ヒーター１７の加熱を停止させる。
【００６２】
なお、加湿材１に供給される水の温度を１００℃まで上昇させると、水に含まれるミネラル成分の濃度によっては、加湿材１に供給される前に、スケールが析出してしまう可能性がある。このため、ヒーター１７によって加熱する水の温度は、１００℃未満が良い。
好ましくは、常温以上、５０℃以下が望ましい。例えば、温度調節器１９は、温度センサー１８の検出値に基づき、水の温度が５０℃を超えたとき、ヒーター１７の駆動を停止させるようにしても良い。
【００６３】
以上のように本実施の形態においては、加湿材１に供給する水の温度を上昇させ、スケールの析出、特にミネラル分からのスケールの析出を促進させることができる。このため、実施の形態１と比較して、短時間で加湿性能を向上させることができる。また、高価な親水化処理を事前に施すこともなく、スケール成分を用いて親水化処理できるので安価な加湿材１を得ることができる。また、スケール成分を用いた親水化処理は劣化し難いので、親水化処理が持続し、長寿命で高い加湿能力を維持できる加湿器を得ることができる。
【００６４】
実施の形態５．
本実施の形態５では、加湿材１に供給する水に薬剤を添加して、スケールの析出を促進させる形態について説明する。
【００６５】
図７は、実施の形態５に係る加湿器の構成を示す図である。
図７において、本実施の形態５の加湿性能制御部７は、ポンプ８、制御部９、及び薬剤充填塔２０を備える。
ポンプ８は、給水部４からの水を水供給部３へ送り出す。制御部９は、ポンプ８の流量を調節して、水供給部３が加湿材１に供給する水の供給量を制御する。薬剤充填塔２０は、加湿材１に供給される水に、薬剤を供給する。なお、薬剤充填塔２０は、本発明における「薬剤充填部」に相当する。
【００６６】
薬剤充填塔２０が水に供給する薬剤は、スケール成分の析出を促進させる種結晶、又は、スケール成分濃度を、供給される水と比較して濃くできるものである。この薬剤としては、例えば、炭酸カルシウム、炭酸水素カルシウム、シリカゲル等の粉末が挙げられる。
薬剤充填塔２０への充填量は数ｍｇ〜数ｇと少量で良い。
【００６７】
その他の構成は、上記実施の形態１と同様の構成である。また、制御部９は、上記実施の形態１と同様に、水の供給量の切り換え制御を行う。
【００６８】
次に、実施の形態５における加湿性能制御部７の動作について説明する。
給水部４から供給された水は、ポンプ８によって、水供給部３から加湿材１に供給される。
このとき、薬剤充填塔２０にポンプ８からの水を通水することで、薬剤が含有又は溶解した水が加湿材１に供給される。薬剤の供給は、薬剤充填塔２０内の薬剤が無くなるまで継続される。これによって、加湿材１表面でのスケールの析出を促進させることができる。したがって、上記実施の形態１と比較して、短時間で加湿性能を向上させることができる。
【００６９】
なお、薬剤充填塔２０からの薬剤の供給の有無を、制御部９によって制御するようにしても良い。以下、具体例を説明する。
制御部９は、第１温湿度センサー１０ａ及び第２温湿度センサー１０ｂの検出値に基づき、予め設定した時間当たりに、加湿材１が気化させた水の量である加湿量を求める。この加湿量の算出方法は、上記実施の形態１と同様である。
【００７０】
制御部９は、加湿量の算出を、繰り返し行う。
前回求めた加湿量と比較して今回求めた加湿量が増加している場合、制御部９は、薬剤充填塔２０から薬剤を供給させる。
一方、前回求めた加湿量と比較して今回求めた加湿量が減少している場合、又は、前回求めた加湿量と今回求めた加湿量とが同一の場合、制御部９は、薬剤充填塔２０からの薬剤の供給を停止させる。
【００７１】
以上のように本実施の形態においては、加湿材１に供給する水に薬剤を添加するので、スケールの析出を促進させることができる。このため、実施の形態１と比較して、短時間で加湿性能を向上させることができる。また、高価な親水化処理を事前に施すこともなく、スケール成分を用いて親水化処理できるので安価な加湿材１を得ることができる。また、スケール成分を用いた親水化処理は劣化し難いので、親水化処理が持続し、長寿命で高い加湿能力を維持できる加湿器を得ることができる。
【００７２】
実施の形態６．
本実施の形態６では、上記実施の形態２の加湿性能制御部７の構成と、上記実施の形態４の加湿性能制御部７の構成とを組み合わせた形態について説明する。
【００７３】
図８は、実施の形態６に係る加湿器の構成を示す図である。
図８において、本実施の形態６の加湿性能制御部７は、ポンプ８、制御部９、貯水槽１１、散気管１２、通風管１３、電磁弁１４、ヒーター１７、温度センサー１８、及び温度調節器１９を備える。各構成は、上記実施の形態２及び４と同様である。
【００７４】
その他の構成は、上記実施の形態１と同様の構成である。また、制御部９は、上記実施の形態１と同様に、水の供給量の切り換え制御を行う。
【００７５】
次に、実施の形態６における加湿性能制御部７の動作について説明する。
上記実施の形態２と同様に、給水部４から供給された水は、貯水槽１１内に貯水される。
制御部９は、第１温湿度センサー１０ａ及び第２温湿度センサー１０ｂの検出値に基づき、予め設定した時間当たりに、加湿材１が気化させた水の量である加湿量を求める。この加湿量の算出方法は、上記実施の形態１と同様である。
【００７６】
制御部９は、加湿量の算出を、繰り返し行う。
前回求めた加湿量と比較して今回求めた加湿量が増加している場合、制御部９は、電磁弁１４を開状態に制御する。また、制御部９は、温度調節器１９を駆動させ、ヒーター１７によって水を加熱させる。これによって、貯水槽１１内の水が脱気され、水素イオン指数（ｐＨ）が上昇し、ｐＨが７を超えたアルカリ性となる。さらに、加湿材１に供給される水が、少なくとも常温以上の温度となる。このため、スケールの析出、特にミネラル分からのスケールの析出を、実施の形態２又は実施の形態４と比較して、さらに促進させることができる。したがって、上記実施の形態２又は実施の形態４と比較して、短時間で加湿性能を向上させることができる。
【００７７】
一方、前回求めた加湿量と比較して今回求めた加湿量が減少している場合、又は、前回求めた加湿量と今回求めた加湿量とが同一の場合、制御部９は、電磁弁１４を閉状態に制御する。また、制御部９は、温度調節器１９の駆動を停止させ、ヒーター１７の加熱を停止させる。
【００７８】
以上のように本実施の形態においては、実施の形態２又は実施の形態４と比較して、さらにスケールの析出、特にミネラル分からのスケールの析出を促進させることができる。
このため、実施の形態２又は実施の形態４と比較して、短時間で加湿性能を向上させることができる。また、高価な親水化処理を事前に施すこともなく、スケール成分を用いて親水化処理できるので安価な加湿材１を得ることができる。また、スケール成分を用いた親水化処理は劣化し難いので、親水化処理が持続し、長寿命で高い加湿能力を維持できる加湿器を得ることができる。
【００７９】
なお、本実施の形態６では、上記実施の形態２の加湿性能制御部７の構成と、上記実施の形態４の加湿性能制御部７の構成とを組み合わせた形態について説明したが、これに限るものではない。上述した実施の形態２〜５の少なくとも２つ以上の構成を複数組み合わせても良い。このように複数の構成を組み合わせることで、さらにスケールの析出、特にミネラル分からのスケールの析出を促進させることができる。
【００８０】
なお、上記実施の形態１〜６で説明した加湿性能制御部７は、加湿性能を向上させた後、加湿器本体から取り外しても良い。また、取り外した加湿性能制御部７を、他の加湿器へ取り付けても良い。
【００８１】
実施の形態７．
上記実施の形態１〜６では、加湿器の運転を開始した初期にスケール成分を付着させて親水化処理を施す形態について説明した。本実施の形態７では、予め、スケール成分を付着させて親水化処理を施した加湿材１を、加湿器に備える形態について説明する。
【００８２】
本実施の形態７における加湿器は、製造工程において、親水化処理された加湿材１を備える。その他の構成は、上記実施の形態１と同様の構成である。この加湿材１の親水化処理方法の工程を以下に説明する。
【００８３】
加湿材１の親水化処理方法は、上記実施の形態１におけるスケール成分を用いた親水化処理と同様の工程である。
即ち、まず、加湿材１に水を供給し、加湿材１に空気を送風する。次に、加湿材１を通過する前の空気の温度及び湿度、並びに、加湿材１を通過した後の空気の温度及び湿度を検出する。そして、温度及び湿度の検出値に基づき、予め設定した時間当たりに、加湿材１が気化させた水の量である加湿量を求める。この算出方法は、上記実施の形態１と同様である。次に、前回求めた加湿量と比較して今回求めた加湿量が増加している間、予め設定した時間当たりの加湿材１への水の供給量を、最小値Ｓｍｉｎ未満に制御する。
【００８４】
なお、本実施の形態７では、加湿材１の親水化処理方法として、上記実施の形態１における親水化処理と同様の工程の場合を説明したが、本発明はこれに限らず、上記実施の形態１〜６における親水化処理の工程の少なくとも１つ、又は複数を組み合わせても良い。
【００８５】
次に、実施の形態７における加湿性能制御部７の動作について説明する。
給水部４から供給された水は、ポンプ８によって、水供給部３から加湿材１に供給される。
制御部９は、第１温湿度センサー１０ａ及び第２温湿度センサー１０ｂの検出値に基づき、予め設定した時間当たりに、加湿材１が気化させた水の量である加湿量を求める。この加湿量の算出方法は、上記実施の形態１と同様である。
【００８６】
制御部９は、予め設定した時間当たり（例えば単位時間当たり）の水供給部３の水の供給量を、最小値Ｓｍｉｎ以上に制御する。このように、加湿材１に最大加湿量をもたらす水の供給量の最小値Ｓｍｉｎ以上の水を供給することで、加湿材１におけるスケール成分濃度の濃縮が抑制され、スケール成分の付着を抑制できる。
【００８７】
以上のように本実施の形態においては、予め、スケール成分を用いた親水化処理を施した加湿材１を備えているので、加湿性能を向上することができる。また、高価な親水化処理を事前に施す必要が無いので、安価な加湿材１を得ることができる。また、スケール成分を用いた親水化処理は劣化し難いので、親水化処理が持続し、長寿命で高い加湿能力を維持できる加湿器を得ることができる。また、水供給部３の水の供給量を最小値Ｓｍｉｎ以上に制御することで、加湿性能の低減を抑制することができる。
【００８８】
実施の形態８．
本実施の形態８では、前回求めた加湿量と比較して今回求めた加湿量が増加している場合、制御部９は、水供給部３の水の供給量を最小値Ｓｍｉｎに制御し、前回求めた加湿量と比較して今回求めた加湿量が増加した後、初期の加湿量まで減少する間に、水供給部３の水の供給量を、最小値Ｓｍｉｎ超過に制御する形態について説明する。
【００８９】
実施の形態８に係る加湿器の構成は、上記実施の形態１（図２）と同様の構成である。
【００９０】
次に、実施の形態８における動作について説明する。
図１５は、実施の形態８に係る加湿器の制御動作を示すフローチャートである。
図１５に基づき、制御部９の制御動作の一例を説明する。
制御部９は、水供給部３の水の供給量を最小値Ｓｍｉｎ以下に制御して、加湿材１への水の供給を開始させる（Ｓ８１）。例えば、水供給部３の水の供給量が最小値Ｓｍｉｎとなるように制御する。
【００９１】
制御部９は、上記実施の形態１と同様の方法によって、加湿材１が気化させた水の量である加湿量を求める（Ｓ８２）。制御部９は、前回求めた加湿量（Ｎ回目加湿量）と、今回求めた加湿量（（Ｎ＋１）回目加湿量）とを比較する（Ｓ８３）。今回求めた加湿量（（Ｎ＋１）回目加湿量）が前回求めた加湿量より大きい場合（Ｓ８３；Ｙｅｓ）、Ｓ８１へ戻る。これにより、前回求めた加湿量と比較して今回求めた加湿量が増加している場合には、水供給部３の水の供給量が最小値Ｓｍｉｎ以下となる。
【００９２】
一方、今回求めた加湿量（（Ｎ＋１）回目加湿量）が前回求めた加湿量より大きくない場合（Ｓ８３；Ｎｏ）、Ｓ８４へ進む。制御部９は、水供給部３の水の供給量を、最小値Ｓｍｉｎ超過の供給量に切り換える（Ｓ８４）。その後、制御部９は、水供給部３の水の供給量が最小値Ｓｍｉｎを超過する状態で、水の供給を継続する（Ｓ８５）。例えば、制御部９は、予め設定した時間当たり（例えば単位時間当たり）の水供給部３の水の供給量を、水の濃縮比が２以下になるように、最小値Ｓｍｉｎ超過に制御する。これら動作以外は実施の形態１と同様である。
【００９３】
なお、制御部９は、今回求めた加湿量が増加した後、初期の加湿量まで減少する間に、水供給部３の水の供給量を、最小値Ｓｍｉｎ超過に制御してもよい。
【００９４】
以上のように本実施の形態においては、前回求めた加湿量と比較して今回求めた加湿量が増加している場合、水の供給量を最小値Ｓｍｉｎ以下に制御することで、スケール付着による表面積向上で加湿性能を向上することができる。また、今回求めた加湿量が増加した後、初期の加湿量まで減少する間に、水の供給量を最小値Ｓｍｉｎ超過に制御することで、加湿材表面でのスケール成分の濃縮を緩和してスケールの付着を抑制することで加湿性能の低減を抑制することができる。このように、本実施の形態のような制御を行っても、実施の形態１と同様の効果を得ることができる。
【００９５】
実施の形態９．
本実施の形態９では、前回求めた加湿量と比較して今回求めた加湿量が増加している場合、制御部９は、水供給部３の水の供給量を最小値Ｓｍｉｎに制御し、前回求めた加湿量と比較して、今回求めた加湿量が増加している間に、水供給部３の水の供給量を、最小値Ｓｍｉｎ超過に制御する形態について説明する。
【００９６】
実施の形態８に係る加湿器の加湿材１は、チタン製の発泡金属で空隙率８２％、呼び穴径２００μｍのものを用いた。
その他の構成は、上記実施の形態１（図２）と同様の構成である。
【００９７】
次に、実施の形態９における動作について説明する。
図１６は、実施の形態９に係る加湿器の制御動作を示すフローチャートである。
図１６に基づき、制御部９の制御動作の一例を説明する。
制御部９は、水供給部３の水の供給量を最小値Ｓｍｉｎ以下に制御して、加湿材１への水の供給を開始させる（Ｓ９１）。例えば、水供給部３の水の供給量が最小値Ｓｍｉｎとなるように制御する。
【００９８】
制御部９は、上記実施の形態１と同様の方法によって、加湿材１が気化させた水の量である加湿量を求める（Ｓ９２）。また、制御部９は、加湿材１への水の供給を開始させた後、最初に求めた加湿量を初期加湿量として記憶する。
【００９９】
制御部９は、初期加湿量に対する今回求めた加湿量（Ｎ回目加湿量）の割合が、１．０５以下であるか否かを判断する（Ｓ９３）。初期加湿量に対する今回求めた加湿量（Ｎ回目加湿量）の割合が、１．０５以下である場合（Ｓ９３；Ｙｅｓ）、Ｓ９１へ戻る。これにより、初期加湿量と比較して、加湿量が１．０５倍以下の場合には、水供給部３の水の供給量が最小値Ｓｍｉｎ以下となる。
なお、Ｓ９３において、初期加湿量に対する今回求めた加湿量（Ｎ回目加湿量）の割合と比較する値は、１．０５に限定されない。Ｓ９３においては、今回求めた加湿量が、初期加湿量を超過し最大の加湿量以下の任意の加湿量となったときに、水の供給量を切り換えるようにしても良い。例えば、スケール成分を用いた親水化処理によって、加湿量は、初期加湿量と比較して最大１．１倍まで向上する。つまり、初期加湿量に対する今回求めた加湿量（Ｎ回目加湿量）の割合が、１を超え１．１以下の任意の値になるまで、水供給部３の水の供給量を最小値Ｓｍｉｎ以下に制御するようにしても良い。
【０１００】
一方、初期加湿量に対する今回求めた加湿量（Ｎ回目加湿量）の割合が、１．０５以下でない場合（Ｓ９３；Ｎｏ）、Ｓ９４へ進む。制御部９は、水供給部３の水の供給量を、最小値Ｓｍｉｎ超過の供給量に切り換える（Ｓ９４）。その後、制御部９は、水供給部３の水の供給量が最小値Ｓｍｉｎを超過する状態で、水の供給を継続する（Ｓ９５）。例えば、制御部９は、予め設定した時間当たり（例えば単位時間当たり）の水供給部３の水の供給量を、水の濃縮比が２以下になるように、最小値Ｓｍｉｎ超過に制御する。これら動作以外は実施の形態１と同様である。
【０１０１】
なお、制御部９は、今回求めた加湿量が増加した後、初期の加湿量まで減少する間に、水供給部３の水の供給量を、最小値Ｓｍｉｎ超過に制御してもよい。
【０１０２】
以上のように本実施の形態においては、前回求めた加湿量と比較して今回求めた加湿量が増加している場合、水の供給量を最小値Ｓｍｉｎ以下に制御することで、スケール付着による表面積向上で加湿性能を向上することができる。また、初期の加湿量と比較して、加湿量が増加している間に、水の供給量を最小値Ｓｍｉｎ超過に制御することで、加湿材表面でのスケール成分の濃縮を緩和してスケールの付着を抑制することで加湿性能の低減を抑制することができる。このように、本実施の形態のような制御を行っても、実施の形態１と同様の効果を得ることができる。
【０１０３】
実施の形態１０．
本実施の形態１０では、水供給部３から加湿材１に供給された水の積算値で水の供給量の切り換えを行う形態について説明する。
【０１０４】
図１７は、実施の形態１０に係る加湿器の構成を示す図である。
図１７において、本実施の形態１０に係る加湿器は、上記実施の形態１に係る構成（図２）に加え、流量計２４を備える。
流量計２４は、給水の流量を検出する。制御部９は、流量計２４の検出値を読み取り、ポンプ８の流量制御を行う。
本実施の形態１０に係る加湿器の加湿材１は、チタン製の発泡金属で空隙率８２％、呼び穴径２００μｍのものを用いた。
その他の構成は、上記実施の形態１と同様の構成である。
【０１０５】
次に、実施の形態１０における動作について説明する。
図１８は、実施の形態１０に係る加湿器の制御動作を示すフローチャートである。
図１８に基づき、制御部９の制御動作の一例を説明する。
制御部９は、水供給部３の水の供給量を最小値Ｓｍｉｎ以下に制御して、加湿材１への水の供給を開始させる（Ｓ１０１）。例えば、水供給部３の水の供給量が最小値Ｓｍｉｎとなるように制御する。
【０１０６】
制御部９は、流量計２４の検出値に基づき、加湿材１に供給された水の積算値（積算流量）を求める（Ｓ１０２）。制御部９は、加湿材１に供給された水の積算値（積算流量）が、予め設定した量（所定の積算流量）を超えたか否かを判断する（Ｓ１０３）。ここで、予め設定した量としては、例えば３００Ｌ／ｍ２とする。なお、加湿材１に供給された水の積算値と比較する、予め設定した量は、加湿材１の仕様及び設置場所の運転環境、条件にもよるため、この値に限るものではない。
加湿材１に供給された水の積算値が予め設定した量を超えていない場合（Ｓ１０３；Ｎｏ）、Ｓ１０１へ戻る。これにより、加湿材１に供給された水の積算値が、予め設定した量以下の場合には、水供給部３の水の供給量が最小値Ｓｍｉｎ以下となる。
【０１０７】
一方、加湿材１に供給された水の積算値が予め設定した量を超えた場合（Ｓ１０３；Ｙｅｓ）、Ｓ１０４へ進む。制御部９は、水供給部３の水の供給量を、最小値Ｓｍｉｎ超過の供給量に切り換える（Ｓ１０４）。その後、制御部９は、水供給部３の水の供給量が最小値Ｓｍｉｎを超過する状態で、水の供給を継続する（Ｓ１０５）。例えば、制御部９は、予め設定した時間当たり（例えば単位時間当たり）の水供給部３の水の供給量を、水の濃縮比が２以下になるように、最小値Ｓｍｉｎ超過に制御する。これら動作以外は実施の形態１と同様である。
【０１０８】
なお、水の供給量の切り換えは、予め設定した量になった時のみで行わなければならないわけではなく、加湿量が初期より増加し、初期以下になる前の期間で切り換えてもよい。
【０１０９】
以上のように本実施の形態においては、水の供給量が、予め設定した水の積算値以下の場合、最小値Ｓｍｉｎ以下に制御することで、スケール付着による表面積向上で加湿性能を向上することができる。また、水の供給量が、予め設定した水の積算値を超えた場合、水の供給量を最小値Ｓｍｉｎ超過に制御することで、加湿材表面でのスケール成分の濃縮を緩和してスケールの付着を抑制することで加湿性能の低減を抑制することができる。このように、供給された水の積算値で水の供給量の切り換えを行っても、実施の形態１と同様の効果を得ることができる。
【０１１０】
実施の形態１１．
本実施の形態１１では、予め設定したスケール付着量で水の供給量の切り換えを行う形態について説明する。
【０１１１】
図１３は、実施の形態１、１１に係る加湿器の構成を示す図である。
図１３において、本実施の形態１１に係る加湿器は、上記実施の形態１に係る構成（図２）に加え、第１電気伝導率計２３ａと、第２電気伝導率計２３ｂと、流量計２４とを備える。
第１電気伝導率計２３ａは、加湿材１に供給される水の電気伝導率を検出する。第２電気伝導率計２３ｂは、ドレンパン５から排出される水の電気伝導率を検出する。
流量計２４は、給水の流量を検出する。制御部９は、第１温湿度センサー１０ａ、第２温湿度センサー１０ｂ、第１電気伝導率計２３ａ、第２電気伝導率計２３ｂ、及び流量計２４の検出値を読み取り、ポンプ８の流量制御を行う。
本実施の形態１１に係る加湿器の加湿材１は、チタン製の発泡金属で空隙率８２％、呼び穴径２００μｍのものを用いた。
その他の構成は、上記実施の形態１と同様の構成である。
【０１１２】
次に、実施の形態１１における動作について説明する。
図１９は、実施の形態１１に係る加湿器の制御動作を示すフローチャートである。
図１９に基づき、制御部９の制御動作の一例を説明する。
制御部９は、水供給部３の水の供給量を最小値Ｓｍｉｎ以下に制御して、加湿材１への水の供給を開始させる（Ｓ１１１）。例えば、水供給部３の水の供給量が最小値Ｓｍｉｎとなるように制御する。
【０１１３】
制御部９は、第１温湿度センサー１０ａ及び第２温湿度センサー１０ｂから算出した加湿量、流量計２４が検出した加湿材１に供給された水量、第１電気伝導率計２３ａと第２電気伝導率計２３ｂとの検出値差に基づき、スケール付着量の積算値（積算スケール付着量）を求める（Ｓ１１２）。制御部９は、スケール付着量の積算値（積算スケール付着量）が、予め設定したスケール付着量（所定のスケール付着量）を超えたか否かを判断する（Ｓ１１３）。ここで、予め設定したスケール付着量としては、例えば３０ｋｇ／ｍ３とする。なお、予め設定したスケール付着量は、加湿材１の仕様及び設置場所の運転環境、条件にもよるため、約２０〜５０ｋｇ／ｍ３でもよいが、この範囲に限るものではない。
スケール付着量の積算値が予め設定したスケール付着量を超えていない場合（Ｓ１１３；Ｎｏ）、Ｓ１１１へ戻る。これにより、スケール付着量の積算値が予め設定したスケール付着量以下の場合には、水供給部３の水の供給量が最小値Ｓｍｉｎ以下となる。
【０１１４】
一方、スケール付着量の積算値が予め設定したスケール付着量を超えた場合（Ｓ１１３；Ｙｅｓ）、Ｓ１１４へ進む。制御部９は、水供給部３の水の供給量を、最小値Ｓｍｉｎ超過の供給量に切り換える（Ｓ１１４）。その後、制御部９は、水供給部３の水の供給量が最小値Ｓｍｉｎを超過する状態で、水の供給を継続する（Ｓ１１５）。例えば、制御部９は、予め設定した時間当たり（例えば単位時間当たり）の水供給部３の水の供給量を、水の濃縮比が２以下になるように、最小値Ｓｍｉｎ超過に制御する。これら動作以外は実施の形態１と同様である。
【０１１５】
なお、水の供給量の切り換えは、スケール付着量の積算値が予め設定したスケール付着量になった時のみで行わなければならないわけではなく、加湿量が初期より増加し、初期以下になる前の期間で切り換えてもよい。
【０１１６】
以上のように本実施の形態においては、スケール付着量の積算値が、予め設定したスケール付着量以下の場合、最小値Ｓｍｉｎ以下に制御することで、スケール付着による表面積向上で加湿性能を向上することができる。また、予め設定したスケール付着量を超えた場合、水の供給量を最小値Ｓｍｉｎ超過に制御することで、加湿材表面でのスケール成分の濃縮を緩和してスケールの付着を抑制することで加湿性能の低減を抑制することができる。このように、スケール付着量の積算値で水の供給量の切り換えを行っても、実施の形態１と同様の効果を得ることができる。
【０１１７】
実施の形態１２．
本実施の形態１２では、予め設定した加湿量の積算値で水の供給量の切り換えを行う形態について説明する。
【０１１８】
実施の形態１２に係る加湿器の加湿材１は、チタン製の発泡金属で空隙率８２％、呼び穴径２００μｍのものを用いた。
その他の構成は、上記実施の形態１（図２）と同様の構成である。
【０１１９】
次に、実施の形態１２における動作について説明する。
図２０は、実施の形態１２に係る加湿器の制御動作を示すフローチャートである。
図２０に基づき、制御部９の制御動作の一例を説明する。
制御部９は、水供給部３の水の供給量を最小値Ｓｍｉｎ以下に制御して、加湿材１への水の供給を開始させる（Ｓ１２１）。例えば、水供給部３の水の供給量が最小値Ｓｍｉｎとなるように制御する。
【０１２０】
制御部９は、第１温湿度センサー１０ａ及び第２温湿度センサー１０ｂから算出した加湿量に基づき、加湿量の積算値を求める（Ｓ１２２）。
制御部９は、加湿量の積算値（積算加湿量）が、予め設定した量（所定の積算加湿量）を超えたか否かを判断する（Ｓ１２３）。ここで、予め設定した量としては、例えば２９０Ｌ／ｍ２とする。なお、予め設定した量は、加湿材１の仕様及び設置場所の運転環境、条件にもよるため、この値に限るものではない。
加湿量の積算値が予め設定した量を超えていない場合（Ｓ１２３；Ｎｏ）、Ｓ１２１へ戻る。これにより、加湿量の積算値が予め設定した量以下の場合には、水供給部３の水の供給量が最小値Ｓｍｉｎ以下となる。
【０１２１】
一方、加湿量の積算値が予め設定した量を超えた場合（Ｓ１２３；Ｙｅｓ）、Ｓ１２４へ進む。制御部９は、水供給部３の水の供給量を、最小値Ｓｍｉｎ超過の供給量に切り換える（Ｓ１２４）。その後、制御部９は、水供給部３の水の供給量が最小値Ｓｍｉｎを超過する状態で、水の供給を継続する（Ｓ１２５）。例えば、制御部９は、予め設定した時間当たり（例えば単位時間当たり）の水供給部３の水の供給量を、水の濃縮比が２以下になるように、最小値Ｓｍｉｎ超過に制御する。これら動作以外は実施の形態１と同様である。
【０１２２】
なお、水の供給量の切り換えは、加湿量の積算値が予め設定した量になった時のみで行わなければならないわけではなく、加湿量が初期より増加し、初期以下になる前の期間で切り換えてもよい。
【０１２３】
以上のように本実施の形態においては、加湿量の積算値が、予め設定した量以下の場合、最小値Ｓｍｉｎ以下に制御することで、スケール付着による表面積向上で加湿性能を向上することができる。また、加湿量の積算値が、予め設定した量を超えた場合、水の供給量を最小値Ｓｍｉｎ超過に制御することで、加湿材表面でのスケール成分の濃縮を緩和してスケールの付着を抑制することで加湿性能の低減を抑制することができる。このように、加湿量の積算値で水の供給量の切り換えを行っても、実施の形態１と同様の効果を得ることができる。
【０１２４】
実施の形態１３．
本実施の形態１３では、予め設定した加湿時間の積算値で水の供給量の切り換えを行う形態について説明する。
【０１２５】
実施の形態１３に係る加湿器の加湿材１は、チタン製の発泡金属で空隙率８２％、呼び穴径２００μｍのものを用いた。
その他の構成は、上記実施の形態１（図２）と同様の構成である。
【０１２６】
次に、実施の形態１３における動作について説明する。
図２１は、実施の形態１３に係る加湿器の制御動作を示すフローチャートである。
図２１に基づき、制御部９の制御動作の一例を説明する。
制御部９は、水供給部３の水の供給量を最小値Ｓｍｉｎ以下に制御して、加湿材１への水の供給を開始させる（Ｓ１３１）。例えば、水供給部３の水の供給量が最小値Ｓｍｉｎとなるように制御する。
【０１２７】
制御部９は、第１温湿度センサー１０ａ及び第２温湿度センサー１０ｂから算出した加湿量に基づき、加湿時間の積算値を求める（Ｓ１３２）。なお、加湿時間の積算値の算出はこれに限らず、水供給部３から加湿材１への水の供給を開始した時からの経過時間を、加湿時間の積算値としても良い。
制御部９は、加湿時間の積算値（積算加湿時間）が、予め設定した積算時間（所定の加湿時間）を超えたか否かを判断する（Ｓ１３３）。ここで、予め設定した積算時間としては、例えば３００時間とする。なお、予め設定した積算時間は、加湿材１の仕様及び設置場所の運転環境、条件にもよるため、この値に限るものではない。
加湿時間の積算時間が予め設定した積算時間を超えていない場合（Ｓ１３３；Ｎｏ）、Ｓ１３１へ戻る。これにより、加湿時間の積算時間が予め設定した積算時間以下の場合には、水供給部３の水の供給量が最小値Ｓｍｉｎ以下となる。
【０１２８】
一方、加湿時間の積算時間が予め設定した積算時間を超えた場合（Ｓ１３３；Ｙｅｓ）、Ｓ１３４へ進む。制御部９は、水供給部３の水の供給量を、最小値Ｓｍｉｎ超過の供給量に切り換える（Ｓ１３４）。その後、制御部９は、水供給部３の水の供給量が最小値Ｓｍｉｎを超過する状態で、水の供給を継続する（Ｓ１３５）。例えば、制御部９は、予め設定した時間当たり（例えば単位時間当たり）の水供給部３の水の供給量を、水の濃縮比が２以下になるように、最小値Ｓｍｉｎ超過に制御する。これら動作以外は実施の形態１と同様である。
【０１２９】
なお、水の供給量の切り換えは、予め設定した積算時間になった時のみで行わなければならないわけではなく、加湿量が初期より増加し、初期以下になる前の期間で切り換えてもよい。
【０１３０】
以上のように本実施の形態においては、加湿時間の積算時間が、予め設定した積算時間以下の場合、最小値Ｓｍｉｎ以下に制御することで、スケール付着による表面積向上で加湿性能を向上することができる。また、加湿時間の積算時間が、予め設定した積算時間を超えた場合、水の供給量を最小値Ｓｍｉｎ超過に制御することで、加湿材表面でのスケール成分の濃縮を緩和してスケールの付着を抑制することで加湿性能の低減を抑制することができる。このように、加湿時間の積算値で水の供給量の切り換えを行っても、実施の形態１と同様の効果を得ることができる。
【符号の説明】
【０１３１】
１  加湿材、２  送風機、３  水供給部、４  給水部、５  ドレンパン、６  排水口、７  加湿性能制御部、８  ポンプ、９  制御部、１０ａ  第１温湿度センサー、１０ｂ  第２温湿度センサー、１１  貯水槽、１２  散気管、１３  通風管、１４  電磁弁、１５  薬液槽、１６  薬液添加用ポンプ、１７  ヒーター、１８  温度センサー、１９  温度調節器、２０  薬剤充填塔、２１  空隙、２２  スケール、２３ａ  第１電気伝導率計、２３ｂ  第２電気伝導率計、２４  流量計、２５  送風方向。
【図１】
2014045668.tif 000003
【図２】
2014045668.tif 000004
【図３】
2014045668.tif 000005
【図４】
2014045668.tif 000006
【図５】
2014045668.tif 000007
【図６】
2014045668.tif 000008
【図７】
2014045668.tif 000009
【図８】
2014045668.tif 000010
【図１０】
2014045668.tif 000011
【図１１】
2014045668.tif 000012
【図１２】
2014045668.tif 000013
【図１３】
2014045668.tif 000014
【図１４】
2014045668.tif 000015
【図１５】
2014045668.tif 000016
【図１６】
2014045668.tif 000017
【図１７】
2014045668.tif 000018
【図１８】
2014045668.tif 000019
【図１９】
2014045668.tif 000020
【図２０】
2014045668.tif 000021
【図２１】
2014045668.tif 000022
【図９】
2014045668.tif 000023
【手続補正書】
【提出日】平成26年11月19日(2014.11.19)
【手続補正２】
【補正対象書類名】明細書
【補正対象項目名】０００１
【補正方法】変更
【補正の内容】
【０００１】
本発明は、加湿材を備えた加湿器、加湿器の制御方法、及び加湿材の親水化処理方法に関するものである。
【手続補正３】
【補正対象書類名】明細書
【補正対象項目名】０００７
【補正方法】変更
【補正の内容】
【０００７】
本発明は、上記のような課題を解決するためになされたものであり、加湿性能を向上することができる加湿器、加湿器の制御方法、及び加湿材の親水化処理方法を得るものである。また、加湿性能の低減を抑制することができる加湿器及び加湿材の親水化処理方法を得るものである。
【手続補正４】
【補正対象書類名】明細書
【補正対象項目名】０００８
【補正方法】変更
【補正の内容】
【０００８】
本発明に係る加湿器は、内部に含浸した水が気化して空気を加湿する加湿材と、前記加湿材に水を供給する水供給部と、前記加湿材に空気を送風する送風機と、前記水供給部の水の供給量を制御する制御部と、を備え、前記制御部は、予め決められた所定値以下で前記水供給部から水を供給して、前記加湿材にスケールを堆積させて加湿性能を向上させた後、前記所定値を超過する流量で前記水供給部から水を供給して、前記加湿材の加湿性能を維持して加湿を行うことを特徴とする。
【手続補正５】
【補正対象書類名】特許請求の範囲
【補正対象項目名】全文
【補正方法】変更
【補正の内容】
【特許請求の範囲】
【請求項１】
内部に含浸した水が気化して空気を加湿する加湿材と、
前記加湿材に水を供給する水供給部と、
前記加湿材に空気を送風する送風機と、
前記水供給部の水の供給量を制御する制御部と、
を備え、
前記制御部は、
予め決められた所定値以下で前記水供給部から水を供給して、前記加湿材にスケールを堆積させて加湿性能を向上させた後、
前記所定値を超過する流量で前記水供給部から水を供給して、前記加湿材の加湿性能を維持して加湿を行うことを特徴とする加湿器。
【請求項２】
前記加湿材の表面を通過する前の前記空気の温度及び湿度を検出する第１温湿度センサーと、
前記加湿材の表面を通過した後の前記空気の温度及び湿度を検出する第２温湿度センサーと、
を備え、
前記制御部は、
前記第１温湿度センサー及び前記第２温湿度センサーの検出値に基づき、予め設定した時間当たりに、前記加湿材が気化させた水の量である加湿量を求め、
前回求めた前記加湿量と比較して今回求めた前記加湿量が増加している場合、前記水供給部の水の供給量を前記所定値以下に制御し、
前回求めた前記加湿量と比較して今回求めた前記加湿量が増加した後、初期の加湿量まで減少する間に、前記水供給部の水の供給量を、前記所定値を超過する流量に切換えて制御することを特徴とする請求項１に記載の加湿器。
【請求項３】
前記制御部は、
前記水供給部から前記加湿材に供給された水の積算値が、予め設定した量を超えた場合に、前記水供給部の水の供給量を、前記所定値を超過する流量に切換えて制御することを特徴とする請求項１または２に記載の加湿器。
【請求項４】
前記制御部は、
前記加湿材に堆積していくスケール付着量が、予め設定したスケール付着量を超えた場合に、前記水供給部の水の供給量を、前記所定値を超過する流量に切換えて制御することを特徴とする請求項１または２に記載の加湿器。
【請求項５】
前記制御部は、
前記加湿量の積算値が、予め設定した積算値を超えた場合に、前記水供給部の水の供給量を、前記所定値を超過する流量に切換えて制御することを特徴とする請求項２に記載の加湿器。
【請求項６】
前記制御部は、
加湿時間の積算時間が、予め設定した積算時間を超えた場合に、前記水供給部の水の供給量を、前記所定値を超過する流量に切換えて制御することを特徴とする請求項１または２に記載の加湿器。
【請求項７】
前記所定値は前記加湿材に最大加湿量をもたらす前記加湿材への水の供給量の最小値であることを特徴とする請求項１〜６の何れか一項に記載の加湿器。
【請求項８】
前記加湿材に供給される前記水を貯える貯水槽と、
前記貯水槽内に配置され、前記貯水槽内の前記水に空気を供給する散気管と、
前記散気管からの空気の供給の有無を切り換える開閉弁と、を備え、
前記制御部は、
前回求めた前記加湿量と比較して今回求めた前記加湿量が増加している場合、前記開閉弁を開状態に制御し、
前回求めた前記加湿量と比較して今回求めた前記加湿量が減少している場合、又は、前回求めた前記加湿量と今回求めた前記加湿量とが同一の場合、前記開閉弁を閉状態に制御することを特徴とする請求項２〜７の何れか一項に記載の加湿器。
【請求項９】
前記加湿材に供給される前記水に、イオン添加剤を供給する薬液添加部を備え、
前記制御部は、
前回求めた前記加湿量と比較して今回求めた前記加湿量が増加している場合、前記薬液添加部から前記イオン添加剤を前記水に供給させ、
前回求めた前記加湿量と比較して今回求めた前記加湿量が減少している場合、又は、前回求めた前記加湿量と今回求めた前記加湿量とが同一の場合、前記薬液添加部からの前記イオン添加剤の供給を停止させる
ことを特徴とする請求項２〜８の何れか一項に記載の加湿器。
【請求項１０】
前記加湿材に供給される前記水を加熱する加熱部を備え、
前記制御部は、
前回求めた前記加湿量と比較して今回求めた前記加湿量が増加している場合、前記加熱部を動作させ前記水を加熱させ、
前回求めた前記加湿量と比較して今回求めた前記加湿量が減少している場合、又は、前回求めた前記加湿量と今回求めた前記加湿量とが同一の場合、前記加熱部の動作を停止させることを特徴とする請求項２〜９の何れか一項に記載の加湿器。
【請求項１１】
前記加湿材に供給される前記水に、炭酸カルシウム、炭酸水素カルシウム、及びシリカゲルの少なくとも１つの薬剤を供給する薬剤充填部を備え、
前記制御部は、
前回求めた前記加湿量と比較して今回求めた前記加湿量が増加している場合、前記薬剤充填部から前記薬剤を前記水に供給させ、
前回求めた前記加湿量と比較して今回求めた前記加湿量が減少している場合、又は、前回求めた前記加湿量と今回求めた前記加湿量とが同一の場合、前記薬剤充填部からの前記薬剤の供給を停止させることを特徴とする請求項２〜１０の何れか一項に記載の加湿器。
【請求項１２】
内部に含浸した水が気化して空気を加湿する加湿材と、
前記加湿材に水を供給する水供給部と、
前記加湿材に空気を送風する送風機と、
前記水供給部の水の供給量を制御する制御部と、
を備えた加湿器の制御方法であって、
予め決められた所定値以下で前記水供給部から水を供給して、前記加湿材にスケールを堆積させて加湿性能を向上させた後、
前記所定値を超過する流量で前記水供給部から水を供給して、前記加湿材の加湿性能を維持して加湿を行うことを特徴とする加湿器の制御方法。
【請求項１３】
水を気化させて空気の加湿を行う加湿材の親水化処理方法であって、
前記加湿材に水を供給する工程と、
前記加湿材に空気を送風する工程と、
前記加湿材を通過する前の前記空気の温度及び湿度、並びに、前記加湿材を通過した後の前記空気の温度及び湿度を検出する工程と、
前記温度及び湿度の検出値に基づき、予め設定した時間当たりに、前記加湿材が気化させた水の量である加湿量を求める工程と、を有し、
前回求めた前記加湿量と比較して今回求めた前記加湿量が増加している間、
前記予め設定した時間当たりの前記加湿材への水の供給量を、所定値未満に制御する
ことを特徴とする加湿材の親水化処理方法。
【請求項１４】
前記所定値は前記加湿材に最大加湿量をもたらす前記加湿材への水の供給量の最小値であることを特徴とする請求項１３に記載の加湿材の親水化処理方法。
【手続補正書】
【提出日】平成28年2月29日(2016.2.29)
【手続補正１】
【補正対象書類名】明細書
【補正対象項目名】０００８
【補正方法】変更
【補正の内容】
【０００８】
本発明に係る加湿器は、内部に含浸した水が気化して空気を加湿する加湿材と、前記加湿材に水を供給する水供給部と、前記加湿材に空気を送風する送風機と、前記水供給部の水の供給量を制御する制御部と、を備え、前記制御部は、前記加湿材に最大加湿量をもたらす前記水の供給量の最小値を所定値として取得し、前記所定値以下で前記水供給部から水を供給して、前記加湿材にスケールを堆積させて加湿性能を向上させた後、前記所定値を超過する流量で前記水供給部から水を供給して、前記加湿材の加湿性能を維持して加湿を行うことを特徴とする。
【手続補正２】
【補正対象書類名】特許請求の範囲
【補正対象項目名】全文
【補正方法】変更
【補正の内容】
【特許請求の範囲】
【請求項１】
内部に含浸した水が気化して空気を加湿する加湿材と、
前記加湿材に水を供給する水供給部と、
前記加湿材に空気を送風する送風機と、
前記水供給部の水の供給量を制御する制御部と、
を備え、
前記制御部は、
前記加湿材に最大加湿量をもたらす前記水の供給量の最小値を所定値として取得し、
前記所定値以下で前記水供給部から水を供給して、前記加湿材にスケールを堆積させて加湿性能を向上させた後、
前記所定値を超過する流量で前記水供給部から水を供給して、前記加湿材の加湿性能を維持して加湿を行うことを特徴とする加湿器。
【請求項２】
前記加湿材の表面を通過する前の前記空気の温度及び湿度を検出する第１温湿度センサーと、
前記加湿材の表面を通過した後の前記空気の温度及び湿度を検出する第２温湿度センサーと、
を備え、
前記制御部は、
前記第１温湿度センサー及び前記第２温湿度センサーの検出値に基づき、予め設定した時間当たりに、前記加湿材が気化させた水の量である加湿量を求め、
前回求めた前記加湿量と比較して今回求めた前記加湿量が増加している場合、前記水供給部の水の供給量を前記所定値以下に制御し、
前回求めた前記加湿量と比較して今回求めた前記加湿量が増加した後、初期の加湿量まで減少する間に、前記水供給部の水の供給量を、前記所定値を超過する流量に切換えて制御することを特徴とする請求項１に記載の加湿器。
【請求項３】
前記制御部は、
前記水供給部から前記加湿材に供給された水の積算値が、予め設定した量を超えた場合に、前記水供給部の水の供給量を、前記所定値を超過する流量に切換えて制御することを特徴とする請求項１または２に記載の加湿器。
【請求項４】
前記制御部は、
前記加湿材に堆積していくスケール付着量が、予め設定したスケール付着量を超えた場合に、前記水供給部の水の供給量を、前記所定値を超過する流量に切換えて制御することを特徴とする請求項１または２に記載の加湿器。
【請求項５】
前記制御部は、
前記加湿量の積算値が、予め設定した積算値を超えた場合に、前記水供給部の水の供給量を、前記所定値を超過する流量に切換えて制御することを特徴とする請求項２に記載の加湿器。
【請求項６】
前記制御部は、
加湿時間の積算時間が、予め設定した積算時間を超えた場合に、前記水供給部の水の供給量を、前記所定値を超過する流量に切換えて制御することを特徴とする請求項１または２に記載の加湿器。
【請求項７】
前記最大加湿量は、前記加湿材の仕様の加湿性能が得られる水の供給量の最小値であることを特徴とする請求項１〜６の何れか一項に記載の加湿器。
【請求項８】
前記加湿材に供給される前記水を貯える貯水槽と、
前記貯水槽内に配置され、前記貯水槽内の前記水に空気を供給する散気管と、
前記散気管からの空気の供給の有無を切り換える開閉弁と、を備え、
前記制御部は、
前回求めた前記加湿量と比較して今回求めた前記加湿量が増加している場合、前記開閉弁を開状態に制御し、
前回求めた前記加湿量と比較して今回求めた前記加湿量が減少している場合、又は、前回求めた前記加湿量と今回求めた前記加湿量とが同一の場合、前記開閉弁を閉状態に制御することを特徴とする請求項２〜７の何れか一項に記載の加湿器。
【請求項９】
前記加湿材に供給される前記水に、イオン添加剤を供給する薬液添加部を備え、
前記制御部は、
前回求めた前記加湿量と比較して今回求めた前記加湿量が増加している場合、前記薬液添加部から前記イオン添加剤を前記水に供給させ、
前回求めた前記加湿量と比較して今回求めた前記加湿量が減少している場合、又は、前回求めた前記加湿量と今回求めた前記加湿量とが同一の場合、前記薬液添加部からの前記イオン添加剤の供給を停止させる
ことを特徴とする請求項２〜８の何れか一項に記載の加湿器。
【請求項１０】
前記加湿材に供給される前記水を加熱する加熱部を備え、
前記制御部は、
前回求めた前記加湿量と比較して今回求めた前記加湿量が増加している場合、前記加熱部を動作させ前記水を加熱させ、
前回求めた前記加湿量と比較して今回求めた前記加湿量が減少している場合、又は、前回求めた前記加湿量と今回求めた前記加湿量とが同一の場合、前記加熱部の動作を停止させることを特徴とする請求項２〜９の何れか一項に記載の加湿器。
【請求項１１】
前記加湿材に供給される前記水に、炭酸カルシウム、炭酸水素カルシウム、及びシリカゲルの少なくとも１つの薬剤を供給する薬剤充填部を備え、
前記制御部は、
前回求めた前記加湿量と比較して今回求めた前記加湿量が増加している場合、前記薬剤充填部から前記薬剤を前記水に供給させ、
前回求めた前記加湿量と比較して今回求めた前記加湿量が減少している場合、又は、前回求めた前記加湿量と今回求めた前記加湿量とが同一の場合、前記薬剤充填部からの前記薬剤の供給を停止させることを特徴とする請求項２〜１０の何れか一項に記載の加湿器。
【請求項１２】
内部に含浸した水が気化して空気を加湿する加湿材と、
前記加湿材に水を供給する水供給部と、
前記加湿材に空気を送風する送風機と、
前記水供給部の水の供給量を制御する制御部と、
を備えた加湿器の制御方法であって、
前記加湿材に最大加湿量をもたらす前記水の供給量の最小値を所定値として取得し、
前記所定値以下で前記水供給部から水を供給して、前記加湿材にスケールを堆積させて加湿性能を向上させた後、
前記所定値を超過する流量で前記水供給部から水を供給して、前記加湿材の加湿性能を維持して加湿を行うことを特徴とする加湿器の制御方法。
【請求項１３】
水を気化させて空気の加湿を行う加湿材の親水化処理方法であって、
前記加湿材に水を供給する工程と、
前記加湿材に空気を送風する工程と、
前記加湿材を通過する前の前記空気の温度及び湿度、並びに、前記加湿材を通過した後の前記空気の温度及び湿度を検出する工程と、
前記温度及び湿度の検出値に基づき、予め設定した時間当たりに、前記加湿材が気化させた水の量である加湿量を求める工程と、を有し、
前回求めた前記加湿量と比較して今回求めた前記加湿量が増加している間、
前記予め設定した時間当たりの前記加湿材への水の供給量を、前記加湿材に最大加湿量をもたらす最小値未満に制御する
ことを特徴とする加湿材の親水化処理方法。
【請求項１４】
前記最大加湿量は、前記加湿材の仕様の加湿性能が得られる水の供給量の最小値であることを特徴とする請求項１３に記載の加湿材の親水化処理方法。
【国際調査報告】
2014045668.tif 000024
2014045668.tif 000025